(57)【特許請求の範囲】
【請求項１】
傾斜造営面に取り付ける台座部と、この台座部から所定の間隔を置いて立設した２本の支柱部とを備え、これら２本の支柱部の前記台座部から同一の距離だけ離れた箇所には共に前記台座部を構成する平面に対して平行な方向に向いて形成された一対のスリットと、これら一対のスリットに連通するそれぞれ同一形状の一対の回動用孔を有する取付枠と、
前記２本の支柱部の間隔にほぼ等しい間隔を有し前記スリットを通過可能な厚さで前記回動用孔の直径よりも短い突片を突出させた一対の突片部と、これら一対の突片部を連結するとともに、これら突片部が前記一対のスリットを通過するときのこれらのスリットを共に通過する平面に直交する平面からなり、一対の引掛栓刃挿入口を配置した連結部とを有し、一対の突片部を前記スリットを通じて回動用孔まで挿入した状態で前記突片を中心として前記突片部が前記一対のスリットを通過するときの角度から前記傾斜造営面の傾斜角の最大値に対して前記連結部を構成する面が水平となる角度まで少なくとも回動可能に配置された回動部と、
前記取付枠を内部に収容した筒状の部材であって前記台座部の反対側に前記回動部を回動自在に配置するための開口部を備えた化粧カバー
とを具備することを特徴とする傾斜面用引掛シーリング装置。
【請求項２】
前記台座部は、前記回動用孔の位置に対応する回転位置とこれらの回転位置からそれぞれ９０度回転した位置にこれを前記傾斜造営面に固定するためのネジ止め用の孔を配置していることを特徴とする請求項１記載の傾斜面用引掛シーリング装置。
【請求項３】
前記スリットは前記台座部と平行となるような角度方向に切られており、前記回動部の突片部がこの角度方向に位置しているとき回動部の前記傾斜造営面と平行な方向における長さが最小となることを特徴とする請求項２記載の傾斜面用引掛シーリング装置。
【請求項４】
前記台座部の中央は開口部となっており、前記支柱部の間に、天井から引き出された電線を接続するための端子台が配置されていることを特徴とする請求項１記載の傾斜面用引掛シーリング装置。
【発明の詳細な説明】
【０００１】
【発明の属する技術分野】
本発明は傾斜した天井等の傾斜面に照明器具を取り付けるための傾斜面用引掛シーリング装置に関する。
【０００２】
【従来の技術】
蛍光燈等の照明器具を天井に取り付けるには、その天井が水平であるのが原則である。天井が傾斜していると、照明器具の先端のコード部分が曲がってしまい断線する危険があるだけでなく、照明器具の重さがこの照明器具を引掛ける引掛シーリング装置に不均等にかかって装置の故障の原因ともなる。
【０００３】
図８は、このような問題を解決するために特開平７−２４５０１１号公報で提案された装置を表わしたものである。この装置では、勾配のある二重天井１１にハウジング１２を固定するようになっている。ハウジング１２には回動自在に略蒲鉾状の半円柱である支持体１３が取り付けられている。支持体１３には、引掛埋め込みロゼット１４が取り付けられている。照明器具１５から引き出されたコード１６の先端に取り付けられた引掛シーリングキャップ１７は、この引掛埋め込みロゼット１４に引掛けられている。二重天井１１の内側には、吊りボルト１８で支持された配線ボックス１９が配置されており、この配線ボックス１９に差し込まれた電線管２０が引掛埋め込みロゼット１４を介してコード１６に電力を供給するようになっている。
【０００４】
この提案の傾斜面用引掛シーリング装置では、天井に勾配があっても、略蒲鉾状の半円柱である支持体１３がこの傾斜に応じて回動し、この支持体１３の上面がほぼ水平に保たれるようになっている。したがって、引掛シーリングキャップ１７は、引掛埋め込みロゼット１４に対してほぼ鉛直方向で抜き差しすることができ、コード１６を曲げてしまう不都合が回避される。
【０００５】
しかしながら、この提案の装置は天井に二重構造を要求し、工事が複雑になり高価となるという問題があった。そこで、傾斜面に直接取り付けることができる傾斜面用引掛シーリング装置が提案されるに至っている。
【０００６】
図９および図１０は、特開平９−２０４８１２号公報で提案された傾斜面用引掛シーリング装置のそれぞれ断面と天井に取り付けたものを下から見たものである。この装置は、丸型の露設用の引掛シーリング２１と、この引掛シーリング２１を取り付けるシーリング取付台２２とで構成される回転部と、この回転部を回転自在に支持する取付枠２３を主要な構成部材としている。回転部は回転部カバー２４に内装され、また回転部カバー２４を含む回転部と取付枠２３とは化粧カバー２６内に収納されている。
【０００７】
回転部カバー２４は、有底の筒状に形成され、その底部を上方向に窪ませて下側に凹部２７を形成しており、この凹部２７内に引掛シーリング２１を配置し、凹部２７の天井部の回転部カバー２４内のシーリング取付台２２を配設し、引掛シーリング２１のボディ２８の取付孔に下方から挿通させた固定ネジを凹部２７に貫通させた挿通孔を介して、シーリング取付台２２に設けたネジ孔に螺合締結することにより、ボディ２８をシーリング取付台２２に固定するようになっている。引掛シーリング２１のボディ２８の下面には、引掛プラグ（シーリングキャップ）の引掛栓刃を係止して機械的および電気的に接続する一対の刃受けばねと、それぞれの刃受けばねに一体的に連接された端子金具とを配設し、端子金具には、電線挿入口を介してボディ２８の上面より下面に挿入された２心の配線コード３１の各線の先端に取り付けられた圧着端子を端子ネジ３３により締結固定する。配線コード３１は回転部カバー２４の凹部２７の天井部に設けたコード貫通孔３４を介して上方に導出される。
【０００８】
引掛シーリング２１のボディ２８の下面にはカバー３６が取り付けられている。このカバー３６は、固定ネジ３７を挿通孔に下方から挿通させ、ボディ２８側に設けたネジ孔に螺合締結させることによりボディ２８に固定されるもので、一対の引掛栓刃挿入口３８をカバー３６に穿設してあり、このカバー３６の一対の引掛栓刃挿入口３８が凹部２７の下面開口より外部に露出するようになっている。
【０００９】
シーリング取付台２２は、金属板により形成されている。その両側には回転部カバー２４に側面が臨む軸支持片４１を折り曲げ形成し、この軸支持片４１に穿設してある軸孔に支軸４２を貫挿させ、軸孔に対応する位置付近に形成した支軸４２にＥリング４３を挿入して固定し、支軸４２の軸方向の移動を規制している。支軸４２は、両軸支持片より外側方に突出した両端を、取付枠の軸受け部４４に回転自在に支持させるものである。
【００１０】
【発明が解決しようとする課題】
図９および図１０に示した後者の提案の傾斜面用引掛シーリング装置では、取付枠２３を天井の傾斜面に沿って取り付ける。この傾斜面の角度に応じて、丸型の露設用の引掛シーリング２１の下面がほぼ水平となるように、回転部カバー２４が支軸４２を中心として回動する。したがって、装置を斜めに傾斜した天井に取り付けたとしても、引掛埋め込みロゼット（図示せず）側のコードが曲がってしまうおそれがない。また、この傾斜面用引掛シーリング装置を取り付ける天井が特別の構造のものである必要もない。
【００１１】
しかしながら、この提案の傾斜面用引掛シーリング装置を使用すると、作業者はまず回転部カバー２４および化粧カバー２６を取り外した状態で取付枠２３を天井に取り付け、この状態で天井から引き出した電線を端子台４６に取り付ける。そして、回転部カバー２４を取付枠の軸受け部４４に引掛けて、回転部カバー２４がその支軸４２を中心に回動するようにする。この後で、化粧カバー２６を被せて、図示しない２本のネジでこれを取付枠側に固定するようになっている。
【００１２】
このような作業は、傾斜面用引掛シーリング装置を天井に配置した状態で作業者が窮屈な姿勢で行うことになる。したがって、幾つもの部品を追加的に配置していく工程が煩雑であり、作業の効率が悪い。
【００１３】
そこで本発明の目的は、化粧カバーの抜き差しといった作業を不要として作業性の向上を図り作業者の負担を軽減することのできる傾斜面用引掛シーリング装置を提供することにある。
【００１６】
【課題を解決するための手段】
請求項１記載の発明では、（イ）傾斜造営面に取り付ける台座部と、この台座部から所定の間隔を置いて立設した２本の支柱部とを備え、これら２本の支柱部の前記した台座部から同一の距離だけ離れた箇所には共に前記した台座部を構成する平面に対して平行な方向に向いて形成された一対のスリットと、これら一対のスリットに連通するそれぞれ同一形状の一対の回動用孔を有する取付枠と、（ロ）前記した２本の支柱部の間隔にほぼ等しい間隔を有し前記したスリットを通過可能な厚さで前記した回動用孔の直径よりも短い突片を突出させた一対の突片部と、これら一対の突片部を連結するとともに、これら突片部が前記した一対のスリットを通過するときのこれらのスリットを共に通過する平面に直交する平面からなり、一対の引掛栓刃挿入口を配置した連結部とを有し、一対の突片部を前記したスリットを通じて回動用孔まで挿入した状態で前記した突片を中心として前記した突片部が前記した一対のスリットを通過するときの角度から前記した傾斜造営面の傾斜角の最大値に対して前記した連結部を構成する面が水平となる角度まで少なくとも回動可能に配置された回動部と、（ハ）前記した取付枠を内部に収容した筒状の部材であって前記した台座部の反対側に前記した回動部を回動自在に配置するための開口部を備えた化粧カバーとを傾斜面用引掛シーリング装置に具備させる。
【００１７】
すなわち請求項１記載の発明では、傾斜面用引掛シーリング装置の取付枠に回動部を回動自在に取り付け、この回動部が傾斜造営面の傾斜に応じて回動するようにしている。ここで、回動部はシャフトによる回動機構を用いず、スリットを通してそれぞれ連通した回動用孔に突片を通して回動させる。したがって荷重に十分耐える構造とすることができる。しかも、回動部の連結部を構成する面を傾斜造営面に対してほぼ９０度回転させて垂直に近い状態に設定すれば、回動部の傾斜造営面に対する投影面積の減少によって、化粧カバーと回動部の間に比較的広い隙間を生じさせることが可能になり、たとえばこの空間から台座部の傾斜造営面に対するネジ止めが可能になるので、化粧カバーの抜き差しといった作業を不要として作業性の向上を図り作業者の負担を軽減することが可能になる。
【００１８】
請求項２記載の発明では、請求項１記載の傾斜面用引掛シーリング装置で台座部は、回動用孔の位置に対応する回転位置とこれらの回転位置からそれぞれ９０度回転した位置にこれを傾斜造営面に固定するためのネジ止め用の孔を配置していることを特徴としている。
【００１９】
すなわち請求項２記載の発明では、傾斜面用引掛シーリング装置を取り付ける傾斜造営面における梁の方向によって、２種類の取り付けの一方を選択できるようにしている。
【００２０】
請求項３記載の発明では、請求項２記載の傾斜面用引掛シーリング装置でスリットは台座部と平行となるような角度方向に切られており、回動部の突片部がこの角度方向に位置しているとき回動部の傾斜造営面と平行な方向における長さが最小となることを特徴としている。
【００２１】
すなわち請求項３記載の発明では、スリットは台座部と平行となるような角度方向に切られているので、回動部がほぼ垂直方向に回転している位置で回動用孔に突片を通すことになる。このように回動部が通常の使用形態とは全く異なる姿勢（回転角度）のときにこれを取付枠に回動自在にセットするので、この突片が照明器具の使用中に回動用孔から外れる事態が発生するおそれが全くないという効果がある。
【００２２】
請求項４記載の発明では、請求項１記載の傾斜面用引掛シーリング装置で台座部の中央は開口部となっており、支柱部の間に、天井から引き出された電線を接続するための端子台が配置されていることを特徴としている。
【００２３】
すなわち請求項４記載の発明では、台座部の中央は開口部となっており、支柱部の間に、天井から引き出された電線を接続するための端子台が配置されているので、開口部を通してこれから比較的近い距離に配置された端子台に電線を容易に配線することができ、作業性の向上を図ることができる。
【００２４】
【発明の実施の形態】
【００２５】
【実施例】
以下実施例につき本発明を詳細に説明する。
【００２６】
図１は本発明の一実施例における傾斜面用引掛シーリング装置の外観を表わしたものである。この装置は、この図には示していない金属製の丸型サポートを覆うように配置されたほぼ円筒形状のプラスチック製の化粧カバー１０１を備えている。化粧カバー１０１の図で上方（天井に取り付けた状態では下方）には、前記した丸型サポートに配置された回動孔を中心として回動する回転部カバー１０２が収容されている。回転部カバー１０２の図で前面には、図示しない引掛シーリングキャップが取り付けられるための一対の引掛栓刃挿入口１０３、１０３が配置されている。また、この前面には回転部カバー１０２の内側に、金属製の回転台（図示せず）を固定するために一対のネジ１０４、１０４が取り付けられている。後に説明するように、この回転台が回転部カバー１０２の回動孔と回転自在に係合するようになっている。化粧カバー１０１の周囲には、互いに対称となる２個所に図で下端部近傍まで溝１０５、１０５が切られており、これらの底部には傾斜面用引掛シーリング装置を天井に固定するためのネジ止め用孔１０６が穿たれている。
【００２７】
図２および図３は、丸型サポートおよび回転台を表わしたものである。このうち図２は丸型サポート１１１に回転台１１２を取り付けている状態を表わしており、図３は丸型サポート１１１に取り付けられた回転台１１２が天井の傾斜に応じて所定の角度だけ回転した状態を表わしている。
【００２８】
これらの図に示すように、丸型サポート１１１は天井と直接接する台座部１１１Ａと、この台座部１１１Ａの基部側１１３の両端から直角に折り曲げられた２本の支柱部１１１Ｂ、１１１Ｃから構成されている。台座部１１１Ａには、基部側１１３に第１の取付孔１１４が配置されており、これと対称位置に第２の取付孔１１５が配置されている。また、これらの取付孔１１４、１１５から図で時計方向にそれぞれに９０度回転した位置には第３の取付孔１１６あるいは第４の取付孔１１７が配置されている。これらのうちの第３および第４の取付孔１１６、１１７が、図１に示した溝１０５、１０５のネジ止め用孔１０６（２個所）に対応するものである。
【００２９】
傾斜面用引掛シーリング装置を天井の傾斜の向きに応じた回転位置に配置したとき、ネジを止めることのできる梁（はり）の方向が第１および第２の取付孔１１４、１１５を結んだ方向に存在するか、あるいは第３および第４の取付孔１１６、１１７を結んだ方向に存在するかによって、これらいずれか一対の取付孔を使用してネジを取りつけることになる。第１および第２の取付孔１１４、１１５を使用してネジを取りつける際には、後に説明するように回転部カバー１０２を、一対の引掛栓刃挿入口１０３、１０３の配置された面が台座部１１１Ａを構成する面と直角をなすように回動させ、これによって生じた開口部を利用して作業を行うようになっている。台座部１１１Ａにはその中央部に比較的大きなイチョウの葉状の開口部１１９が設けられている。この開口部１１９は、後に説明するように天井から引き出された電線を接続するための端子台を貫挿させるためのものである。
【００３０】
図４は、丸型サポートを側面から見たものである。支柱部１１１Ｂの先端部には、基部側１１３と反対方向から基部側１１３方向に板状の部材を水平方向に挿入できるようなスリット１２１が切られており、これに繋がった内部の支持孔１２２は、長方形の空間上に円の４分の１の形の扇形の空間を積み重ねた形状に切り抜かれた形となっている。
【００３１】
一方、図２および図３に示した回転台１１２は、断面が“コ”字状の金具であり、対向する２つの側面から内側に向けて支持片１１２A、１１２Bが９０度折り曲げられている。これらの支持片１１２A、１１２Bをそれぞれの支柱部１１１Ｂ、１１１Ｃのスリット１２１に差し込んで、図２に示す矢印１３１方向に回転台１１２を移動させると、支柱部１１１Ｂ、１１１Ｃがそれぞれ支持孔１２２内に完全に挿入される。
【００３２】
この状態で、回転台１１２を支持孔１２２内の支柱部１１１Ｂ、１１１Ｃを中心として、図３で示す矢印１３２方向に回転させることができる。支持孔１２２は、図４に示したように上下方向にそった端面部分を有しており、支柱部１１１Ｂ、１１１Ｃはこれらと当接するまで支持孔１２２内で９０度回転することができる。
【００３３】
回転台１１２の中央部分には、長方形の開口部１３４が開けられており、その周囲には２つのネジ孔１３５、１３５が螺刻されている。これらのネジ孔１３５、１３５は、図１に示した一対のネジ１０４、１０４によって回転部カバー１０２を回転台１１２に取り付ける際に使用されるものである。長方形の開口部１３４は、回転部カバー１０２を回転台１１２に取り付けたとき、一対の引掛栓刃挿入口１０３、１０３（図１）に電気的に接続された端子台（図６参照）をこの部分から傾斜面用引掛シーリング装置の内部空間に突出させるための開口である。
【００３４】
なお、図３に示したように回転台１１２を所定の角度だけ回転させた状態は、ちょうど図１に対応するものであり、傾斜面用引掛シーリング装置の一対の引掛栓刃挿入口１０３、１０３が配置された面が、天井の傾斜に応じて傾斜した状態を示している。
【００３５】
図５は、これに対して回転台を最大限回転させた状態を表わしたものである。回転台１１２が図２で示した位置から支持孔１２２内に最大限収容された状態、すなわち一対の引掛栓刃挿入口１０３、１０３が配置された面が丸型サポートの台座部１１１Ａと直交する状態まで回転すると、この図に示したように回転台１１２と化粧カバー１０１の間に比較的大きな隙間が発生する。この隙間から第１の取付孔１１４と第２の取付孔１１５を見ることができる。したがって、作業者は、化粧カバー１０１を外すことなく、ドライバを使用して第１の取付孔１１４と第２の取付孔１１５を用いて傾斜面用引掛シーリング装置を天井にネジ止めすることができる。このように本実施例の装置では、従来の図９および図１０で示した提案と異なり、化粧カバーを取り外した状態でネジ止めを行う必要がないので、取付作業が容易である。図５等の実施形態においては、回転台１１２が両側へ各９０度、都合１８０度回転可能に形成されている。その回動範囲は少なくとも一方向への回動によって各取付孔１１４、１１５が見えるように定める必要がある。実用上は、それによって各取付孔１１４、１１５が見え、そこへ止めネジを挿着できればよい。そのような条件が満たされるのであれば、一方向へたとえば８０度回転可能な程度であっても実施可能であり、かつ取付作業は容易になる。
【００３６】
図６は回転台を取り付けた回転部カバーを裏側から見たものである。回転部カバー１０２の裏面から突出するように配置された端子台１４１が、回転台１１２の長方形の開口部１３４を貫通している。端子台１４１には、天井から引き出した２本の電線を１本ずつ差し込む電線挿入孔１４２、１４３が配置されている。これらの電線挿入孔１４２、１４３に挿入された電線は、図示しないバネ機構によって抜けないように保持される。これらの電線を挿入した状態で挿入解除片１４４を押し下げると、バネ機構が解除されて電線を抜き取ることができる。
【００３７】
以上のような構成の本実施例の傾斜面用引掛シーリング装置を天井に取り付ける作業を次に説明する。作業者は、図１に示したように完全に組み立てられた状態の傾斜面用引掛シーリング装置を用意し、天井から引き出された２本の電線を、開口部１１９（図２および図３参照）を通して図６に示した端子台１４１の電線挿入孔１４２、１４３に接続する。そして、天井の梁の位置に合わせて、傾斜面用引掛シーリング装置を第１および第２の取付孔１１４、１１５あるいは第３および第４の取付孔１１６、１１７を使用してネジ止めする。このとき、第１および第２の取付孔１１４、１１５を使用する場合には、回転部カバー１０２を図５で示したように化粧カバー１０１の間に作業用の空間が生じるように回転させる必要がある。
【００３８】
このようにして、天井への傾斜面用引掛シーリング装置の取り付けが終了したら、図１に示した一対の引掛栓刃挿入口１０３、１０３に、照明器具から引き出されたコードの先端に取り付けられた引掛シーリングキャップ（図示せず）を固定すればよい。
【００３９】
変形例
【００４０】
図７は、本発明の変形例における傾斜面用引掛シーリング装置の断面構造を表わしたものである。この変形例で先の実施例と同一部分には同一の符号を付しており、これらの説明を適宜省略する。この変形例の傾斜面用引掛シーリング装置では、プラスチック製の化粧カバー１０１と、これに対して回動する回転部カバー１０２および回転台１１２の構造は、実施例と全く同一である。丸型サポート２０１は、その２本の支柱部２０１Ｂ、２０１Ｃの所定の高さの位置から内側に端子台取付片２０１Ｄ、２０１Ｅが突出しており、これに端子台２０２がネジ止めされている。端子台２０２と回転部カバー１０２のこの図に示していない一対の引掛栓刃挿入口１０３（図１参照）の間には、予め電線２０３が接続されている。
【００４１】
このような変形例の傾斜面用引掛シーリング装置では、先の実施例よりも端子台２０２が丸型サポートの台座部２０１Ａ側に接近した状態で配置されている。したがって、工場における傾斜面用引掛シーリング装置の組立工程は多少複雑化するものの、工事現場での天井への取付の際には台座部の開口部１１９からわずかの距離に端子台２０２が配置されている。このため、天井から引き出された電線を端子台２０２に極めて容易に取り付けることができるようになる。
【００４２】
なお、以上説明した実施例および変形例では丸型サポートの台座部に第１〜第４の取付孔を配置して、梁の配置の状態から２つの取付孔を選択してネジ止めを行うようにした。しかしながら、取付孔を２つのみとし、その代わりに取付孔の配置位置の異なる２種類の装置を用意して、取り付ける箇所の状態に応じてこれらの傾斜面用引掛シーリング装置を使い分けるようにしてもよい。
【００４４】
【発明の効果】
請求項１記載の発明によれば、回動部はシャフトによる回動機構を用いず、スリットを通してそれぞれ連通した回動用孔に突片を通して回動させるようにしたので、荷重に十分耐える構造とすることができる。しかも、回動部を傾斜造営面に対してほぼ９０度回転させて垂直に近い状態に設定すれば、回動部の傾斜造営面に対する投影面積の減少によって、化粧カバーと回動部の間に比較的広い隙間を生じさせることが可能になり、たとえばこの空間から台座部の傾斜造営面に対するネジ止めが可能になる。したがって、化粧カバーの抜き差しといった作業を不要として作業性の向上を図り作業者の負担を軽減することが可能になる。
【００４５】
また請求項２記載の発明によれば、請求項１記載の傾斜面用引掛シーリング装置で台座部は、回動用孔の位置に対応する回転位置とこれらの回転位置からそれぞれ９０度回転した位置にこれを傾斜造営面に固定するためのネジ止め用の孔を配置することにしたので、傾斜面用引掛シーリング装置を取り付ける傾斜造営面における梁の方向によって、２種類の取り付けの一方を選択することができ、取り付けの自由度が拡大する。
【００４６】
更に、請求項３記載の発明によれば、スリットは台座部と平行となるような角度方向に切られているので、回動部がほぼ垂直方向に回転している位置で回動用孔に突片を通すことになる。このように回動部が通常の使用形態とは全く異なる姿勢（回転角度）のときにこれを取付枠に回動自在にセットするので、この突片が照明器具の使用中に回動用孔から外れる事態が発生するおそれが全くないという効果がある。
【００４７】
また請求項４記載の発明では、台座部の中央は開口部となっており、支柱部の間に、天井から引き出された電線を接続するための端子台が配置されているので、開口部を通してこれから比較的近い距離に配置された端子台に電線を容易に配線することができ、作業性の向上を図ることができる。
【図面の簡単な説明】
【図１】本発明の一実施例における傾斜面用引掛シーリング装置の外観を表わした斜視図である。
【図２】本実施例で丸型サポートに回転台を取り付ける状態を示した斜視図である。
【図３】本実施例で丸型サポートに回転台を取り付けてこれを所定の角度回転させた状態を示した斜視図である。
【図４】本実施例の丸型サポートを側面から見た側面図である。
【図５】本実施例の傾斜面用引掛シーリング装置を回転台を最大限回転させた状態で回転台の配置された側から見た平面図である。
【図６】本実施例で回転台を取り付けた回転部カバーを裏側から見た平面図である。
【図７】本発明の変形例における傾斜面用引掛シーリング装置の断面図である。
【図８】特開平７−２４５０１１号公報で提案された引掛シーリング装置の断面図である。
【図９】特開平９−２０４８１２号公報で提案された傾斜面用引掛シーリング装置の断面図である。
【図１０】図９に示した傾斜面用引掛シーリング装置の下面図である。
【符号の説明】
１０１  化粧カバー
１０２  回転部カバー
１０３  引掛栓刃挿入口
１１１、２０１  丸型サポート
１１１Ａ  台座部
１１１Ｂ、１１１Ｃ  支柱部
１１２  回転台
１１２A、１１２B  支持片
１１４  第１の取付孔
１１５  第２の取付孔
１１６  第３の取付孔
１１７  第４の取付孔
１２２  支持孔
１４１、２０２  端子台
【図１】
0004046408.tif 000002
【図２】
0004046408.tif 000003
【図３】
0004046408.tif 000004
【図４】
0004046408.tif 000005
【図５】
0004046408.tif 000006
【図６】
0004046408.tif 000007
【図７】
0004046408.tif 000008
【図８】
0004046408.tif 000009
【図９】
0004046408.tif 000010
【図１０】
0004046408.tif 000011